(57)【要約】      （修正有）【課題】スカートの生地サンプルの吊り下げ及び脱着が容易であり、かつ展示やプレゼンテーションに多数のサンプルが存在する場合であっても体積的に嵩張らない、簡単な構造のスカート用ハンガーを提供する。【解決手段】スカートの前身頃部分１を正面に見えるように吊り下げることができるスカート用ハンガーであって、前記スカート用ハンガーが、フックを上端に取り付けられた横長の板状の支持体からなり、前記支持体が、上端に折曲線４を持って下方に開放するように形成され、開放される支持体の少なくともいずれかの内側部分とスカートの前身頃部分のインベル部が互いに係合できるように前記内側部分の横方向にわたって前記インベル部との係合部５，６を設けたことを特徴とするスカート用ハンガー。【選択図】図２
0003186906.tif 000002
【実用新案登録請求の範囲】
【請求項１】
スカートの前身頃部分を正面に見えるように吊り下げることができるスカート用ハンガーであって、前記スカート用ハンガーが、フックを上端に取り付けられた横長の板状の支持体からなり、前記支持体が、上端に折曲線を持って下方に開放するように形成され、開放される支持体の少なくともいずれかの内側部分とスカートの前身頃部分のインベル部が互いに係合できるように前記内側部分の横方向にわたって前記インベル部との係合部を設けたことを特徴とするスカート用ハンガー。
【請求項２】
スカートの前身頃部分にプリーツが存在することを特徴とする請求項１に記載のスカート用ハンガー。
【請求項３】
スカートの前身頃部分を正面に見えるように吊り下げた請求項１または２に記載のスカート用ハンガーを複数有する展示用スカート用ハンガーセットであって、複数のスカート用ハンガーに吊り下げられるスカートの前身頃部分のデザインが互いに異なることを特徴とする展示用スカート用ハンガーセット。
【請求項４】
上半身衣服を装着したトルソー、人体ボディ、マネキン、及び直立展示板からなる群から選択される装着体と、請求項３に記載の展示用スカート用ハンガーセットとからなる上下衣服展示用セットであって、前記装着体が、上半身衣服の腰部内側に接触する部分の正面横方向にわたって展示用スカート用ハンガーセットから選択したスカートの前身頃部分のインベル部と互いに係合できる係合部を設けられていることを特徴とする上下衣服展示用セット。
【考案の詳細な説明】
【技術分野】
【０００１】
本考案は、スカートの生地サンプルの吊り下げ及び脱着が容易であり、かつ上半身衣服との迅速な組み合わせ展示に好適である、低コストで嵩張らないスカート用ハンガーに関し、さらに、それを使用した展示用スカート用ハンガーセット、並びに上下衣服展示用セットに関する。
【背景技術】
【０００２】
従来のスカート用ハンガーは、スカートを型くずれさせずにしっかりと支持することができることに主眼を置いたものばかりで、多数のサンプルの展示やプレゼンテーションのために、あるいは上半身衣服との組み合わせを確認するために好適なものは全く提案されてこなかった。
【０００３】
例えば、特許文献１では、スカートの上端縁部を支持するために幅方向に伸縮自在の支持部材やスカートの紐の引っ掛け部などを設けたスカート用ハンガーを提案している。しかし、特許文献１のハンガー構造は複雑であり、購入者や販売者などへの展示やプレゼンテーションのために多数のサンプルを用意すると、体積的に嵩張るとともに使い勝手が極めて悪かった。
【先行技術文献】
【特許文献】
【０００４】
【特許文献１】特開２０００−５１０５０号公報
【考案の概要】
【考案が解決しようとする課題】
【０００５】
本考案は、かかる従来技術の現状に鑑みなされたものであり、その目的は、スカートの生地サンプルの吊り下げ及び脱着が容易であり、かつ展示やプレゼンテーションに多数のサンプルが存在する場合であっても体積的に嵩張らない、簡単な構造のスカート用ハンガー、及びそれを使用した展示用スカートハンガーセット、並びにそれらを使用した上下衣服展示用セットを提供することにある。
【課題を解決するための手段】
【０００６】
本考案者は、かかる目的を達成するために鋭意検討した結果、スカートの吊り下げる部分をスカートの前身頃部分にし、ハンガーの本体としてフックを上端に取り付けた横長の下方に開放する板状支持体を用意し、板状支持体の開放部内側の横方向にわたってスカートの前身頃部分のインベル部との係合部を設けることにより、スカートの生地サンプルの吊り下げ及び脱着が容易で、嵩張らない簡易な構造のスカート用ハンガーを達成できることを見い出した。また、本考案者は、かかるスカート用ハンガーに多数のデザインの異なるスカートの生地サンプルの前身頃部分のみを吊り下げることにより、体積的に嵩張らない展示用スカート用ハンガーセットを達成できることを見い出した。さらに、本考案者は、かかる展示用スカート用ハンガーセットと、上半身衣服を装着した装着体とを用意し、上半身衣服の腰部内側に接触する装着体の部分の正面横方向にわたってスカートの前身頃部分のインベル部との係合部を設けることにより、係合状態においてスカートと上半身衣服のデザインの整合性を容易に確認できる、体積的に嵩張らない上下衣服展示用セットを達成できることを見い出した。
【０００７】
本考案は、上記の知見に基づいて完成したものであり、以下の（１）〜（４）の構成を有するものである。
（１）スカートの前身頃部分を正面に見えるように吊り下げることができるスカート用ハンガーであって、前記スカート用ハンガーが、フックを上端に取り付けられた横長の板状の支持体からなり、前記支持体が、上端に折曲線を持って下方に開放するように形成され、開放される支持体の少なくともいずれかの内側部分とスカートの前身頃部分のインベル部が互いに係合できるように前記内側部分の横方向にわたって前記インベル部との係合部を設けたことを特徴とするスカート用ハンガー。
（２）スカートの前身頃部分にプリーツが存在することを特徴とする（１）に記載のスカート用ハンガー。
（３）スカートの前身頃部分を正面に見えるように吊り下げた（１）または（２）に記載のスカート用ハンガーを複数有する展示用スカート用ハンガーセットであって、複数のスカート用ハンガーに吊り下げられるスカートの前身頃部分のデザインが互いに異なることを特徴とする展示用スカート用ハンガーセット。
（４）上半身衣服を装着したトルソー、人体ボディ、マネキン、及び直立展示板からなる群から選択される装着体と、（３）に記載の展示用スカート用ハンガーセットとからなる上下衣服展示用セットであって、前記装着体が、上半身衣服の腰部内側に接触する部分の正面横方向にわたって展示用スカート用ハンガーセットから選択したスカートの前身頃部分のインベル部と互いに係合できる係合部を設けられていることを特徴とする上下衣服展示用セット。
【考案の効果】
【０００８】
本考案のスカート用ハンガーは、フックを上端に取り付けられた横長の板状の支持体からなり、スカートの前身頃部分のインベル部と係合できる係合部を支持体の内側の横方向にわたって設けているので、スカートの前身頃部分のみをしっかりと吊り下げて支持しながら、展示時又は運搬時において体積的に嵩張らない状態を維持することができる。また、本考案の展示用スカート用ハンガーセットは、体積的に嵩張らないとともに、多数の色、柄などのデザインが異なるスカートを購入者や販売者にわかりやすく提示することができる。さらに、本考案の上下衣服展示用セットは、体積的に嵩張らないとともに、多数の色、柄などのデザインが異なる上下衣服の組み合わせを購入者や販売者にわかりやすくかつ迅速に提示することができる。
【図面の簡単な説明】
【０００９】
【図１】図１は、スカートの前身頃部分を正面に見えるように吊り下げた本考案のスカート用ハンガーの概略図である。
【図２】図２は、板状支持体の下方を開放し、スカートの前身頃部分と板状支持体を一部係合した状態の本考案のスカート用ハンガーの概略図である。
【図３】図３は、本考案のスカート用ハンガーとスカートの前身頃部分を分離した状態を概略的に示す。
【図４】図４は、本考案の展示用スカートハンガーセットを概略的に示す。
【図５】図５は、上半身衣服を装着した装着体とスカートの前身頃部分の係合部を強調した概略図を示す。
【図６】図６は、上半身衣服を装着した装着体とスカートの前身頃部分が組み合わされた状態の概略図を示す。
【図７】図７は、本考案の上下衣服展示用セットに使用される装着体であり、（ａ）はトルソー、（ｂ）は人体ボディ、（ｃ）はマネキンである。
【図８】図８は、本考案の上下衣服展示用セットの一例を示す。
【考案を実施するための形態】
【００１０】
本考案のスカート用ハンガーは、図１に示すようにスカートの前身頃部分を正面に見えるように吊り下げることができるものであり、スカートの前身頃部分のインベル部との係合（吊り下げ）及び脱係合（脱着）を容易にしっかりと行なうことができることを特徴とする。また、本考案のスカート用ハンガーを多数用意し、それぞれにデザインが互いに異なるスカートの前身頃を吊り下げることにより、展示用スカート用ハンガーセットを体積的に嵩張らずに構成することができる。さらに、上半身衣服を装着した装着体と組み合わせることにより、簡単で迅速に異なる上下衣服のデザインの提示が可能な上下衣服展示用セットを構成することができる。
【００１１】
本考案のスカート用ハンガーは、図１に示すように、引っ掛けるためのフック３を上端に取り付けられた横長の板状の支持体２からなる。支持体２は、図２に示すように上端に折曲線４を持っており、この折曲線４を中心に下方に開放する構造を有する。支持体２の開放される内側部分のいずれかの側には横方向にわたって係合部５が設けられており、この係合部５は、スカートの前身頃部分１のインベル部の係合部６と互いに係合及び脱係合ができるようになっている。板状の支持体２としては、スカートの前身頃を支持できる剛性があればよく、例えば、紙、プラスチック製のものが使用される。係合部としては、支持体２の内側部分とスカートの前身頃部分１のインベル部が互いに係合できればよく、例えばマジックテープ（登録商標）、嵌合体、フックアンドループなどが使用される。
【００１２】
本考案のスカート用ハンガーは、スカートの前身頃部分のみが吊り下げられるが、スカートのデザインを購入者や販売者に提示するためにはこれで十分であり、しかも吊り下げられた状態ではそのために小さな体積しかなく、嵩張らないことが特徴である。かかる特徴を生かすためには、本考案のスカート用ハンガーでは、図３に示すように板状支持体２の横幅とスカートの前身頃部分１の横幅が実質的に同じであることが好ましい。また、本考案のスカート用ハンガーは、吊り下げられるスカートの前身頃部分１にプリーツが存在することが好ましい。
【００１３】
本考案のスカート用ハンガーにスカートの前身頃部分を正面に見えるように吊り下げたものを複数用意し、それぞれの前身頃部分のデザインを互いに異なるものにすることによって、図４に示すような展示用スカート用ハンガーセットを提供することができる。展示用スカート用ハンガーセットは、板状の支持体にスカートの前身頃部分のみをそれぞれ吊り下げているだけであるので、多数のハンガーを用意しても体積的に嵩張らず、コンパクトに収納可能である。
【００１４】
上述の展示用スカート用ハンガーセットに加えて、上半身衣服を装着した装着体を用意することにより、上下衣服展示用セットを提供することができる。上下衣服展示用セットは、図５に示すように、装着体７に上半身衣服８が装着されており、装着体７の上半身衣服８の腰部内側に接触する部分の正面横方向にわたって係合部９が設けられている。この係合部９は、図４に示すような展示用スカート用ハンガーセットから選択したスカートの前身頃部分１のインベル部の係合部６と互いにしっかりと係合するようになっており、係合後は、図８に示すような状態で展示される。上半身衣服の装着体としては、図７（ａ）に示すトルソー、図７（ｂ）に示す人体ボディ、図７（ｃ）に示すマネキン、または図８の中央に示す直立展示板を採用することができる。トルソーは、人体ボディより形状がリアルなものであり、前身のみのハーフトルソーを使用してもよい。
【００１５】
本考案の上下衣服展示用セットは、例えば、図８に示すような態様で展示される。図８の中央には上半身衣服を装着した直立展示板が設置され、その両脇には多数の互いにデザインが異なるスカートの前身頃部分を吊り下げた展示用スカート用ハンガーセットが展示されている。実際には、購入者や販売者は、まず多数の展示用スカート用ハンガーセットから気に入ったデザインのものを探す。気に入ったものが見つかったら、そのハンガーを取ってハンガーの支持体の前面を上に開き、スカートの前身頃部分の生地をはずす。次いで上半身衣服の前を開いて直立展示板の係合部にスカートの前身頃部分のインベル部の係合部を合わせてしっかりと固定する。図８の中央に示すような状態になったら、少し離れて眺めコーディネートの良否を確認する。この際、上半身衣服は他の気に入ったものと適宜変更すればよい。このように、本考案によれば、全体として体積的に嵩張らない展示用セットでありながら、上下衣服の組み合わせのコーディネートを迅速かつ容易に提示することが可能である。
【産業上の利用可能性】
【００１６】
本考案のスカート用ハンガーは、板状の支持体にスカートの前身頃部分のインベル部との係合部を設けた簡易な構造であるため、多数のハンガーを取り揃えたとしても体積的に嵩張らず、スカートの前身頃部分の係合及び脱係合が極めて容易である。また、本考案のスカート用ハンガーを使用すれば、上半身衣服とスカートの組み合わせのコーディネートの確認も極めて容易である。
【図１】
0003186906.tif 000003
【図２】
0003186906.tif 000004
【図３】
0003186906.tif 000005
【図４】
0003186906.tif 000006
【図５】
0003186906.tif 000007
【図６】
0003186906.tif 000008
【図７】
0003186906.tif 000009
【図８】
0003186906.tif 000010